(57)【要約】【課題】レーザ光源のボトムレベルを正確に設定して、レーザの熱による発光パワー変動を抑制し、情報記録を正確に行うことが可能な光ディスク装置を提供する。【解決手段】光ディスクに記録を行う、発光強度が高いピークレベルと発光強度レベルの低いボトムレベルで構成されるマルチパルス部と、ピークレベルとボトムレベルの中間であって記録された情報を消去するためのイレース部とからなる発光強度パターンでレーザ光を光ディスクに照射して情報の記録再生を行う光ディスク装置において、記録中におけるマルチパルス部の平均電流ｉＡＶＥとイレース部の電流ｉＢＳをｉＡＶＥ＝ｉＢＳとして制御することによりマルチパルス部とイレース部のＬＤ（レーザダイオード）の温度変化を低減させる。ボトムパワーを０ｍＷ以下にすることにより、ボトム電流ｉＢＴを閾値電流ｉＴＨ以下に定めることにより記録中のＬＤの温度によるパワー変動を抑制する。【選択図】図４
2007172694.tif 000002
【特許請求の範囲】
【請求項１】
光ディスクに記録を行うための、発光強度が最大であるピークパワーレベルと発光強度が最小であるボトムパワーレベルで構成されるマルチパルス部と、前記ピークパワーレベルとボトムパワーレベルの中間であって記録された情報を消去するためのイレースパワーレベルで構成されるイレース部とからなる発光強度パターンでレーザ光を光ディスクに照射して情報の記録再生を行う光ディスク装置の記録パワー制御方法において、前記マルチパルス部の平均電流を前記イレース部の電流と等しくなるように電流を制御することを特徴とする光ディスク装置の記録パワー制御方法。
【請求項２】
光ディスクに記録中のボトム電流を、閾値電流以下の０ｍＷレベルに低減する発光強度パターンとすることを特徴とする請求項１記載の光ディスク装置の記録パワー制御方法。
【請求項３】
ボトム電流を閾値電流以下の０ｍＷレベルに低減する制御において、電流を０ｍＷレベルからピークパワーレベルまで駆動する際、前記閾値電流以下における電流の立ち上がり、立下り時間の遅延に起因するピークパワーレベルの変動を考慮してマルチパルス部のパルス幅を補正することを特徴とする請求項２記載の光ディスク装置の記録パワー制御方法。
【請求項４】
温度による発光パワーの歪みの影響がないレーザダイオードにおいては、ボトム電流を最大限小さくすることを特徴とする請求項２記載の光ディスク装置の記録パワー制御方法。
【請求項５】
光ディスクに記録を行うための、発光強度が最大であるピークパワーレベルと発光強度が最小であるボトムパワーレベルで構成されるマルチパルス部と、前記ピークパワーレベルとボトムパワーレベルの中間であって記録された情報を消去するためのイレースパワーレベルで構成されるイレース部とからなる発光強度パターンでレーザ光を光ディスクに照射して情報の記録再生を行う光ディスク装置において、前記マルチパルス部の平均電流を前記イレース部の電流と等しくなるように電流を制御する手段を備えたことを特徴とする光ディスク装置。
【請求項６】
光ディスクに記録中のボトム電流を、閾値電流以下の０ｍＷレベルとする発光強度パターンとしたことを特徴とする請求項５記載の光ディスク装置。
【請求項７】
ボトム電流を閾値電流以下の０ｍＷレベルに低減する制御において、電流を０ｍＷレベルからピークパワーレベルまで駆動する際、前記閾値電流以下における電流の立ち上がり、立下り時間に起因するピークパワーレベルの変動を考慮してマルチパルス部のパルス幅を補正する手段を備えたことを特徴とする請求項６記載の光ディスク装置。
【発明の詳細な説明】
【技術分野】
【０００１】
本発明は、光ピックアップにより光ディスクの情報を記録再生する光ディスク装置の記録パワー制御方法及び光ディスク装置に関する。
【背景技術】
【０００２】
光ディスク装置は、ＣＤ（Compact Disc）−ＲＯＭ（Read Only Memory）、ＣＤ−Ｒ（Recordable）／ＲＷ（ReWritable）、ＤＶＤ（Digital Versatile Disc）などの光ディスクに情報を記録再生する装置であり、すでに広く実用化されており、各方面への応用と高性能化、高倍速化への開発が活発に行われている。特に最近では、パーソナルコンピュータの急速な市場拡大に伴い、光ディスク装置のパーソナルコンピュータへの内蔵普及率も高くなっている。
【０００３】
ここで、光ディスク装置の構成を、図６を用いて説明する。図６は光ディスク装置のピックアップ制御部のブロック図である。
【０００４】
図６において、ピックアップモジュール２は、光ディスク１を回転させるスピンドルモータ３と、光ディスク１の情報信号を読み取るための光ピックアップ４と、光ピックアップ４が搭載されたキャリッジ５を光ディスク１の半径方向に移動させるためのフィード部６とによって構成されている。フィード部６はフィードモータ７，ギヤ（図示せず），スクリューシャフト（図示せず）等から構成され、フィードモータ７を回転させることによってキャリッジ５が光ディスク１の内周−外周間を移動するように構成されている。
【０００５】
アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
フォーカスエラー信号とは、光ピックアップ４に備えられた対物レンズ（図示せず）より出射される光ビームスポットと光ディスク１の記録面との焦点方向のずれを示す信号である。トラッキングエラー信号とは、光スポットと光ディスク１の情報トラックの光ディスク半径方向のずれを示す信号である。
【０００７】
また、アナログ信号処理部８はトラッキングエラー信号の低域成分を取り出すことにより、対物レンズとキャリッジ５との相対的な位置関係を示すレンズ位置信号を生成し、サーボ処理部９を介してモータ駆動部１０に出力する。
【０００８】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。
【０００９】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００１０】
記録動作時は、ディジタル信号処理部１１によってホストから送られてきたデータを変調し、レーザ制御部によってレーザ駆動部１２を介して光ピックアップ４内のレーザダイオード（図示せず）等の光源に所定の電流を供給し、光源を例えばパルス状に発光させ、光ディスク１の情報トラックに記録を行う。コントローラ１３はこのように構成されたサーボ部の全体のコントロールを行うものである。
【００１１】
光ディスク装置において記録パワーを制御する方法の一例が特許文献１に記載されている。
【００１２】
光ディスク装置におけるレーザ発光記録において、所望のパワーで発光できない場合、記録再生性能の低下が懸念される。また、レーザダイオードの温度変動によってパワー変動する場合があり、記録再生性能を低下させる要因となり問題となっている。
【００１３】
ＣＤ−ＲＷやＤＶＤ−ＲＷ、＋ＲＷのように情報の記録と再生の両方を行うメディアの場合のピットを形成する記録発光波形を説明する。図７はこの記録発光波形を示すための説明図である。ピットを形成する記録発光波形は図７に示すように発光強度が最大であるピークパワーレベルと発光強度が最小であるボトムパワーレベルと、これらの中間値であるイレースパワーレベルをもつ。この図７に示す発光波形によりイレース部とマルチパルス部が形成される。この記録発光波形は、光ビームを高いパワーと低いパワーとを繰り返すことによりメディア上で急加熱急冷却を繰り返し、ピットを形成する波形である。すなわち、記録された情報を消去するためのイレース部と、これより発光強度レベルの高いピークレベルと発光強度レベルの低いボトムレベルで構成されるマルチパルス部で形成される。
【００１４】
この記録発光波形を実現するためにレーザ光源に流される電流のパターンを図８に示す。ボトムパワーレベルの発光強度を得るために流される電流がボトム電流（ｉＢＴ）であり、イレースパワーレベルの発光強度を得るためには、ボトム電流（ｉＢＴ）にイレース電流（ｉＥＲ）が加算されたものが流される。また、ピークパワーレベルの発光強度を得るためには、さらにピーク電流（ｉＰＫ）が加算されたものが流される。
【００１５】
これらの電流を生成するために用いられるＤ／Ａコンバータの構成を図９に示す。ボトム電流（ｉＢＴ）を生成するためのＤ／Ａコンバータが再生ＤＡＣ２６および閾値ＤＡＣ２７であり、イレース電流（ｉＥＲ）を生成するためのＤ／ＡコンバータがイレースＤＡＣ２５であり、ピーク電流（ｉＰＫ）を生成するためのＤ／ＡコンバータがピークＤＡＣ２４である。これらのＤ／Ａコンバータによって生成された電流によって、ボトムレベルの発光強度とするときには、ボトム電流（ｉＢＴ）のみがレーザ光源に流され、イレースレベルの発光強度とするときには、ボトム電流（ｉＢＴ）とイレース電流（ｉＥＲ）とをあわせた電流がレーザ光源に流され、ピークレベルの発光強度とするときには、ボトム電流（ｉＢＴ）とイレース電流（ｉＥＲ）とピーク電流（ｉＰＫ）とをあわせた電流がレーザ光源に流される。
【特許文献１】特開２０００−３０２７６号公報
【発明の開示】
【発明が解決しようとする課題】
【００１６】
このような記録発光波形を用いて記録を行うＲＷ系の光ディスクドライブにおいて、特にマルチパルス部の平均電流がイレース部の電流より大きい場合（例えば、高倍速記録対応メディア等）において、レーザダイオード（ＬＤ）の温度がマルチパルス部とイレース部で変化してしまい、発光パワーと電流の関係（Ｉ−Ｌ特性）が変動し、この影響により所望する記録発光パワーが得られず発光波形に歪みが生じることがある。
【００１７】
マルチパルス部の平均電流はピーク電流（ｉＰＫ）、マルチパルスのデューティー比及びボトム電流（ｉＢＴ）のレベルにより決定される。低倍速時においてピークパワーレベルはイレースパワーレベルの２倍程度であり、マルチパルス部の平均電流はイレース部と同等レベルであるが、高倍速対応メディアなどにおいて、ピークパワーレベルはイレースパワーレベルの２倍以上の高いパワーが必要とされる場合がある。
【００１８】
図１０はピークパワーレベルとイレースパワーレベルに起因した発光波形の変動を示した図である。図１０のようにマルチパルス部の平均電流がイレースパワーレベルの電流より大きくなるとマルチパルス部においてＬＤの温度がイレース部におけるＬＤの温度より高くなってしまう。また、マルチパルス部において平均電流が高くなるとＬＤのＩ−Ｌ特性が温度変化により変動してしまう。ピークパワーレベル及びイレースパワーレベルは予め測定された値を元に決定されるため、ＬＤ発光中の温度変動には追従できない。このためマーク形成時にはピークパワーレベルに歪みが生じ、スペース形成時にはイレースパワーレベルが変動してしまう。この変動が記録特性に悪影響を与え、情報記録が正確に行われないこととなる。このＬＤの温度変化の影響により、マルチパルス部とイレース部で発光強度レベルを適正に維持することが困難となっている。
【００１９】
本発明は、レーザ光源の発光強度レベルを適正に設定して、情報記録を正確に行うことが可能な光ディスク装置の記録パワー制御方法および光ディスク装置を提供することを目的とする。
【課題を解決するための手段】
【００２０】
本発明は、上記の課題を解決するためになされたもので、発光強度が最大であるピークパワーレベルと、発光強度が最小であるボトムパワーレベルと、これらの中間値であるイレースパワーレベルとからなる発光強度パターンでレーザ光を光ディスクに照射して情報の記録再生を行う光ディスクの記録パワー制御方法および光ディスク装置において、マルチパルス部の平均電流をイレース部の電流と等しくすることを主要な特徴とする。
【発明の効果】
【００２１】
本発明の光ディスクの記録パワー制御方法および光ディスク装置は、マルチパルス部の平均電流をイレース部の電流と等しくすることにより、ＬＤの温度変化による記録発光パワーの変動を抑制することが可能となり、イレース部とマルチパルス部の温度変化を抑えることができ、これにより、所望の記録発光パルスを生成でき、記録特性を良好な状態で維持することができる。
【発明を実施するための最良の形態】
【００２２】
本発明は、レーザ光源の発光強度レベルを適正に設定して、情報記録を正確に行うことが可能な光ディスク装置を提供するという目的を、発光強度が最大であるピークパワーレベルと、発光強度が最小であるボトムパワーレベルと、これらの中間値であるイレースパワーレベルとからなる発光強度パターンでレーザ光を光ディスクに照射して情報の記録再生を行う光ディスク装置において、マルチパルス部の平均電流をイレース部の電流と等しくすることにより実現した。
【００２３】
上記課題を解決するためになされた第１の発明は、光ディスクに記録を行うための、発光強度が最大であるピークパワーレベルと発光強度が最小であるボトムパワーレベルで構成されるマルチパルス部と、ピークパワーレベルとボトムパワーレベルの中間であって記録された情報を消去するためのイレースパワーレベルで構成されるイレース部とからなる発光強度パターンでレーザ光を光ディスクに照射して情報の記録再生を行う光ディスク装置の記録パワー制御方法において、マルチパルス部の平均電流をイレース部の電流と等しくなるように電流を制御することとしたものであり、マルチパルス部の平均電流をイレース部の電流と等しくなるように電流を制御することにより、ＬＤの温度変動によるマルチパルス部とイレース部の発光パワーの変動や記録発光波形の歪みを抑制することができ、安定した記録パワー発光により、記録特性を良好な状態で維持することができる。
【００２４】
上記課題を解決するためになされた第２の発明は、第１の発明の光ディスク装置の記録パワー制御方法において、光ディスクに記録中のボトム電流を、閾値電流以下の０ｍＷレベルとする発光パターンとしたものであり、これにより、ＬＤの温度上昇を抑制することができ、さらにドライブの消費電流も低減することができる。
【００２５】
上記課題を解決するためになされた第３の発明は、第２の発明の、ボトム電流を閾値以下の０ｍＷレベルに低減する制御において、電流を０ｍＷレベルからピークパワーレベルまで駆動する際、閾値電流以下における電流の立ち上がり、立下り時間の遅延に起因するピークパワーレベルの変動を考慮して補正することとしたものであり、マルチパルス部の平均パワーの変動が抑制され、発光パワーが最大のピークパワーレベルを所望のパワーで発光することができる。
【００２６】
上記課題を解決するためになされた第４の発明は、第２の発明の光ディスク装置の記録パワー制御方法において、温度による発光パワーの歪みの影響がないＬＤにおいては、ボトム電流を最大限小さくすることとしたものであり、これによりＬＤの発熱を抑えることが可能となる。
【００２７】
上記課題を解決するためになされた第５の発明は、光ディスクに記録を行うための、発光強度が最大であるピークパワーレベルと発光強度が最小であるボトムパワーレベルで構成されるマルチパルス部と、ピークパワーレベルとボトムパワーレベルの中間のイレースパワーレベルで構成されるイレース部とからなる発光強度パターンでレーザ光を光ディスクに照射して情報の記録再生を行う光ディスク装置において、マルチパルス部の平均電流をイレース部の電流と等しくなるように電流を制御する手段を備えたものであり、マルチパルス部の平均電流をイレース部の電流と等しくなるように電流を制御することにより、ＬＤの温度変動によるマルチパルス部とイレース部の発光パワーの変動や記録発光波形の歪みを抑制することができ、安定した記録パワー発光により、記録特性を良好な状態で維持することができる。
【００２８】
上記課題を解決するためになされた第６の発明は、第５の発明において、光ディスクに記録中のボトム電流を、閾値電流以下の０ｍＷレベルとする発光強度パターンとしたものであり、これによりＬＤの発熱を抑えることが可能となる。
【００２９】
上記課題を解決するためになされた第７の発明は、第６の発明の、ボトム電流を閾値電流以下の０ｍＷレベルに低減する制御において、電流を０ｍＷレベルからピークパワーレベルまで駆動する際、前記閾値電流以下における電流の立ち上がり、立下り時間に起因するピークパワーレベルの変動を考慮してマルチパルス部のパルス幅を補正する手段を備えたものであり、マルチパルス部の平均パワーの変動が抑制され、発光パワーが最大のピークパワーレベルを所望のパワーで発光することができる。
【００３０】
以下に、本発明の実施の形態に係る光ディスク装置の発光強度レベル調整方法及び光ディスク装置について詳細に説明する。
【００３１】
本発明が適用される光ディスク装置のピックアップ制御部は、背景技術の項で説明した図６に示すブロック図で表されるものと同様である。
【００３２】
図６において、ピックアップモジュール２は、光ディスク１を回転させるスピンドルモータ３と、光ディスク１の情報信号を読み取るための光ピックアップ４と、光ピックアップ４が搭載されたキャリッジ５を光ディスク１の半径方向に移動させるためのフィード部６とによって構成されたものである。フィード部６はフィードモータ７，ギヤ（図示せず），スクリューシャフト（図示せず）等から構成され、フィードモータ７を回転させることによってキャリッジ５が光ディスク１の内周−外周間を移動するように構成されている。
【００３３】
アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。また、アナログ信号処理部８はトラッキングエラー信号の低域成分を取り出すことにより、対物レンズとキャリッジ５との相対的な位置関係を示すレンズ位置信号を生成し、モータ駆動部１０に出力する。アナログ信号処理部８は、図１に示すサンプルホールド回路２１を含む。
【００３４】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。
【００３５】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータが転送される。ディジタル信号処理部１１は図９に示すパワー制御部２２を含む。
【００３６】
図１は本発明の実施の形態に係る発光電流の調整方法を実現するためのブロック図を示す。図１において、レーザユニット２０は、光ディスク１にレーザ光を出射するものであり、レーザユニット２０の発光強度パターンの波形情報である前光信号は、サンプルホールド回路（Ｓ／Ｈ回路）２１に送られる。サンプルホールド回路（Ｓ／Ｈ回路）２１によって、イレースパワーと平均パワーとが検出されてパワー制御部２２に入力される。また、パワー制御部２２は、サンプルホールド（Ｓ／Ｈ）タイミング信号をサンプルホールド回路（Ｓ／Ｈ回路）２１へ送出して、サンプルホールド回路（Ｓ／Ｈ回路）２１のサンプルタイミングを設定する。
【００３７】
パワー制御部２２は入力されたイレースパワーと平均パワーに基づいて、記録による温度上昇に伴って変動するピーク電流、イレース電流、ボトム電流の設定値を定め、レーザドライバ２３にそれぞれ設定値が送出される。
【００３８】
レーザドライバ２３の構成は、前述の図９に示す従来の技術と同様である。
【００３９】
図９において、レーザドライバ２３は、ピーク電流を生成するピークＤＡＣ２４と、イレース電流を生成するイレースＤＡＣ２５と、再生電流を生成する再生ＤＡＣ２６と、閾値電流を生成する閾値ＤＡＣ２７を備えている。再生電流と閾値電流を加えた電流がボトム電流となる。
【００４０】
記録動作時は、図６に示すように、ディジタル信号処理部１１によってホストから送られてきたデータを変調し、レーザ制御部によってレーザ駆動部１２を介して光ピックアップ４内のＬＤ（図示せず）等の光源に所定の電流を供給し、光源を例えばパルス状に発光させ、光ディスク１の情報トラックに記録を行う。このレーザ駆動部１２は図１に示すレーザドライバ２３を含む。
【００４１】
図２は本発明の実施の形態に係るボトム電流を制御するためのフローチャート、図３は本発明の実施の形態に係る発光強度レベルと発光電流の関係（Ｉ−Ｌ特性）を示す波形図、図４は本発明の実施の形態に係るマルチパルス部の平均電流とイレース部の電流の設定を示す図である。
【００４２】
図２，図３，図４を用いて、記録パワー制御方法について説明する。
【００４３】
図３において、横軸はレーザ光源に流される電流であり、縦軸はレーザ光源の発光強度である。ここでＬＤの駆動電流に対する発光強度の関係をＩ−Ｌ特性と呼ぶ。記録発光波形において、発光強度が最小であるボトムパワーレベルＰｂｔを得るためにはボトム電流ｉＢＴが必要となる。また、発光強度が中間レベルであるイレースパワーレベルＰｅｒを得るには、ボトム電流ｉＢＴにイレース電流ｉＥＲを加算した電流が必要となる。さらに、発光強度が最大であるピークパワーレベルＰｐｋを得るためには、ボトム電流ｉＢＴとイレース電流ｉＥＲにピーク電流ｉＰＫを加えたものが必要となる。ここで、発光強度が最小であるボトムパワーレベルＰｂｔにおいて必要となるボトム電流ｉＢＴは、Ｉ−Ｌ特性において発光強度が０ｍＷである部分の電流である閾値電流ｉＴＨと、ＬＤが発光開始してボトムパワーレベルＰｂｔの発光強度を得るまでの電流である再生電流ｉＲＤとで構成されている。
【００４４】
高倍速記録においては、ピークパワーレベルの発光強度がイレースパワーレベルの発光強度に比べ大きくなる場合があり、マルチパルス部における平均電流がイレース部の平均電流を上回り、マルチパルス部とイレース部の温度差が大きくなってしまう。この場合、前述の図１０に示す通り、ＬＤの温度がマルチパルス部の発光中に上昇してＬＤのＩ−Ｌ特性が変動してパワーが低下してしまう。また、イレース部においてはマルチパルス部で上昇したＬＤの温度が元に戻るためＩ−Ｌ特性も初期の値に戻り所望の発光パワーへ変動する。また、ピークパワーレベルの発光強度がイレース部に比べて大きいため、マルチパルス部における平均電流がイレース部の平均電流との差が大きくなる。このことによりイレースパワー発光区間からマルチパルス発光する区間へ移行する際、一定であるイレース発光区間のＩ−Ｌ特性が、マルチパルス発光区間内においてＬＤのＩ−Ｌ特性が変動することにより、マルチパルスの終端部に向かうにつれて発光レベルが低下して波形が歪むこととなる。従って、マルチパルス部とイレース部の平均電流の差を小さくすることが必要となる。この平均電流を等しくするために、マルチパルス部のボトム電流を変化させて平均電流を適切に制御することで、ピークパワーレベルを適正に保つことが可能となる。
【００４５】
図４において、（ｉ）に示す先頭のパルスをトップパルスと呼び、（ii）に示す２列目以降のパルスをマルチパルスと呼び、（iii）で示す最終のボトムパワーレベルを出力するパルスをクーリングパルスと呼ぶ。これらのパルスのパルス幅は本実施の形態において、図１のパワー制御部２２によりそれぞれ任意の幅で設定可能となっている。
【００４６】
ここで、一例として記録マーク長が６［Ｔ］である発光強度パターンで、トップパルス幅をＴｔｏｐ［Ｔ］、マルチパルス幅をＴｍｐ［Ｔ］、クーリングパルス幅をＴｃｌ［Ｔ］として説明する。さらにこの図４においてｉＰＫはピーク電流、ｉＥＲはイレース電流、ｉＢＴはボトム電流である。図４の破線で示したｉＡＶＥはマルチパルス部の平均電流を示す。マルチパルス部における平均電流ｉＡＶＥは（数１）により求められる。
【００４７】
ｉＡＶＥ＝［（Ｔｔｏｐ＋３×Ｔｍｐ）×（ｉＰＫ＋ｉＥＲ＋ｉＢＴ）＋｛３×（１−Ｔｍｐ）＋Ｔｃｌ｝×ｉＢＴ］／（Ｔｔｏｐ＋Ｔｃｌ＋３）・・・（数１）
イレース部の電流ｉＢＳはイレース電流ｉＥＲとボトム電流ｉＢＴを加算したものとして求められる。従って、マルチパルス部平均電流ｉＡＶＥとイレース部の電流ｉＢＳを等しくすることにより、温度による記録発光波形の歪みを抑えることが可能となる。
【００４８】
ピークパワーレベルを変更することなくマルチパルス部の平均電流ｉＡＶＥを調整するための方法として、本実施の形態ではマルチパルス部のボトムパワーレベルをさらに低く設定し、ｉＢＴ１１としてボトム電流を再設定することによりマルチパルス部の平均電流ｉＡＶＥを制御する。
【００４９】
ボトム電流ｉＢＴ１１の設定方法に関して図２を用いて説明する。
【００５０】
図２はボトム電流を制御するためのフローチャートである。ステップ１０１でマルチパルス部の平均電流ｉＡＶＥとイレース部の電流ｉＢＳを算出する。次に、ステップ１０２において算出したマルチパルス部の平均電流ｉＡＶＥとイレース部の電流ｉＢＳの大小比較を行う。ステップ１０３及び１０４で、マルチパルス部の平均電流ｉＡＶＥとイレース部の電流ｉＢＳの大小関係に応じて条件分岐を行う。ｉＡＶＥがイレース部の電流ｉＢＳより大きい場合、ステップ１０５に示すとおりｉＡＶＥ−ｉＢＳを計算し、平均電流の差分ΔｉＢＴを算出する。また、ｉＡＶＥがイレース部の電流ｉＢＳより小さい場合、ステップ１０６で示すとおりｉＢＳ−ｉＡＶＥを計算し、平均電流の差分ΔｉＢＴを算出する。このように算出した平均電流の差分ΔｉＢＴを元に、ｉＡＶＥがイレース部の電流ｉＢＳより大きい場合、ステップ１０７に示すｉＢＴ＋ΔｉＢＴを計算し、求めるボトム電流ｉＢＴ１１を算出する。ｉＡＶＥがイレース部の電流ｉＢＳより小さい場合においては、ステップ１０８に示すｉＢＴ−ΔｉＢＴを計算し、求めるボトム電流ｉＢＴ１１を算出する。
【００５１】
このようにして求められたボトム電流ｉＢＴ１１は、ボトム電流生成用のＤ／ＡコンバータであるボトムＤＡＣへ設定し、ΔｉＢＴがイレース部の電流ｉＥＲより小さい場合、現在のボトム電流ｉＢＴより変動したボトム電流ΔｉＢＴを減算したｉＢＴ１１を、ボトム電流生成用のＤ／Ａコンバータである再生ＤＡＣ２６及び閾値ＤＡＣ２７へ設定する。このようにして、マルチパルス部の平均電流ｉＡＶＥをイレース部の電流ｉＢＳと等しくなるように制御する。上記制御を実施することにより、マルチパルス部とイレース部のＬＤの平均電流を一定とし、温度変動抑制し安定した記録発光パルスを維持することが可能となる。
【００５２】
上記制御において、マルチパルス部のボトムパワーを０ｍＷレベルとする記録パワー制御方法を、図４を用いて説明する。図４はＲＷ系メディアの記録の発光パルス及び駆動電流構成を示したものである。ボトム電流ｉＢＴは、図３に示すように、ＬＤが発光を開始する閾値までを駆動する閾値電流ｉＴＨと、閾値電流レベルから発光強度の低いボトムレベルまでを駆動する再生電流ｉＲＤを加算した構成である。すなわち、ボトム電流の構成はｉＢＴ＝ｉＴＨ＋ｉＲＤとなる。このボトム電流の再生電流分ｉＲＤをイレース電流ｉＥＲへ加算することによりイレース部の電流ｉＢＳが求められる。この電流値をイレース電流生成用のＤ／ＡコンバータであるイレースＤＡＣ２５へ設定する。ボトム電流ｉＢＴは、閾値電流ｉＴＨ分のみとし、ｉＢＴ＝ｉＴＨとして求められ、ボトム電流生成用のＤ／ＡコンバータであるボトムＤＡＣへ設定する。これにより発光強度が最大のピークパワーレベルを変化させること無く、発光強度が最小のボトムパワーを０ｍＷとすることが可能となりマルチパルス部のボトムレベルにおける電流の削減が可能となる。
【００５３】
ここで、ボトムパワーは０ｍＷ以下であるため、閾値電流ｉＴＨをさらに低減させて（本実施の形態ではボトム引き抜きと呼ぶ）もボトムパワーレベルの変動は無い。ボトム電流ｉＢＴをさらに低減させて、駆動電流をさらに低減することによりボトムパワーを変化させること無くボトム電流を削減することが可能となる。このため、高倍速記録などで高パワー時によるＬＤの発熱を抑えることが可能となり、温度変動するＬＤのＩ−Ｌ特性の変動による発光パワーの変動を抑えることができ、記録特性を良好な状態で維持することができる。さらに、温度によるＩ−Ｌ特性の変動が小さいＬＤにおいては、ボトム電流を可能な限り低くすることによりドライブの消費電力を低減することが可能となる。
【００５４】
図５はボトムパワーレベルを変えたときの発光波形の変化を示す図である。上記ボトムパワーを０ｍＷ以下とする制御において、ボトム電流を閾値電流以下に低減させる場合、閾値電流以下の電流レベルからピークパワーレベルまでの電流を駆動することが必要となり、電流の立ち上がり、立ち下がり時間に起因した発光パワーが変動する場合がある。閾値電流以下へ電流を低減させた場合、発光パルスの立ち上がり、立ち下がり特性が悪化し、マルチパルス部の発光波形がボトム電流を引き抜いた場合に比べ、パルスが短く発光することとなる。これにより所望のパワーを発光することができなくなる。
【００５５】
この発光パルスの変動を補正するための記録パワー制御方法を、図５を用いて説明する。図５において図中（Ａ）で示す実線の波形はボトムパワーレベルを低減しない場合のＲＷメディアの記録発光波形である。実線の、ボトムパワーレベルを低減しない場合のＲＷメディアの記録発光波形において、ボトムパワーレベルをＰｂｔとし、ピークパワーレベルをＰｐｋとする。図５において（Ｂ）で示す破線の波形は、上記のボトムパワーレベルを０ｍＷ以下とした制御を行った時の記録発光波形である。ボトムパワーレベルを０ｍＷ以下とする、破線で示した発光波形において、ボトムパワーレベルはＰｂｔ’となり、ボトムパワーレベルＰｂｔ’よりピークパワーレベルＰｐｋまで電流を駆動することになる。ボトムパワーレベルＰｂｔ’は通常のボトム引き抜きを行わない状態のボトムパワーレベルＰｂｔより低いため、ピークパワーレベルＰｐｋへ駆動するまでに立ち上がり時間が長くなり結果的に発光パルスの幅が短くなることとなる。このことにより、設定したマルチパルス幅Ｔｍｐは、立ち上がり時間の増加に伴い、実際に発光するマルチパルス幅Ｔｍｐ’が短くなることとなる。従って所望のマルチパルス幅のパルスで発光することができなくなり、マルチパルス部の平均パワーも変動し、発光パワーが最大のピークパワーレベルＰｐｋを所望のパワーで発光できないこととなる。
【００５６】
この現象を解消する記録発光制御方法を以下に示す。
【００５７】
ボトムパワーレベルが通常の、ボトム引き抜きを行わない状態におけるＲＷ記録発光波形のマルチパルス幅をＴｍｐとし、図５において破線で示すとおりボトム引き抜きを行った状態でのＲＷ系メディアの記録の発光波形のマルチパルス幅をＴｍｐ’とする。ボトム引き抜きにより減少したマルチパルス幅分をΔＴｍｐとすると、マルチパルス幅分ΔＴｍｐは次の（数２）で算出できる。
【００５８】
ΔＴｍｐ＝Ｔｍｐ−Ｔｍｐ’  ・・・（数２）
ボトム引き抜きを行った状態でのＲＷ系メディアの記録の発光波形のマルチパルス幅を長く設定することにより、この発光パルスの変動を補正する。すなわち、予めボトム電流低減によるマルチパルス部の変動ΔＴｍｐを測定し、その変動分に応じてＴｍｐ＝Ｔｍｐ’＋ΔＴｍｐとなるように設定し補正することで所望の発光パワーで発光できることとなる。
【００５９】
上記ボトムパワーを０ｍＷ以下とする制御において、温度による発光パワーの歪みの影響が少ないＬＤにおいては、ボトム電流を最大限小さくすることによりＬＤの発熱を抑えることが可能となる。
【産業上の利用可能性】
【００６０】
本発明は、記録中のボトムパワーのバラつきを抑えることができ、かつＬＤの熱によるパワー変動を低減すると共にＬＤの発熱も抑え、記録特性を良好な状態で維持することが可能な光ディスク装置として利用できる。また、光ディスクドライブの低消費電力化にも貢献できる。
【図面の簡単な説明】
【００６１】
【図１】本発明の実施の形態に係る発光電流の調整方法を実現するためのブロック図
【図２】本発明の実施の形態に係るボトム電流を制御するためのフローチャート
【図３】本発明の実施の形態に係る発光強度レベルと発光電流の関係（Ｉ−Ｌ特性）を示す図
【図４】本発明の実施の形態に係るマルチパルス部の平均電流とイレース部の電流の設定を示す図
【図５】本発明の実施の形態に係るボトムパワーレベルを変えたときの発光波形の変化を示す図
【図６】光ディスク装置のピックアップ制御部のブロック図
【図７】従来における記録発光強度の波形を示す図
【図８】従来におけるレーザ光源に流される電流のパターンを示す図
【図９】従来における発光電流を生成するために用いられるＤ／Ａコンバータの構成を示す図
【図１０】従来における温度変動による発光波形の変化を示す図
【符号の説明】
【００６２】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    ディジタル信号処理部
１２    レーザ駆動部
１３    コントローラ
２０    レーザユニット
２１    サンプルホールド回路（Ｓ／Ｈ回路）
２２    パワー制御部
２３    レーザドライバ（ＬＤＤ）
２４    ピークＤ／Ａコンバータ（ピークＤＡＣ）
２５    イレースＤ／Ａコンバータ（イレースＤＡＣ）
２６    再生Ｄ／Ａコンバータ（再生ＤＡＣ）
２７    閾値Ｄ／Ａコンバータ（閾値ＤＡＣ）
【図１】
2007172694.tif 000003
【図２】
2007172694.tif 000004
【図３】
2007172694.tif 000005
【図４】
2007172694.tif 000006
【図５】
2007172694.tif 000007
【図６】
2007172694.tif 000008
【図７】
2007172694.tif 000009
【図８】
2007172694.tif 000010
【図９】
2007172694.tif 000011
【図１０】
2007172694.tif 000012